(57)【要約】【課題】超小型シャッター付きコネクタのハウジングを、アース端子を備えたシールドケースで取り囲んで電磁波遮蔽作用を発揮させる場合に、ハウジングが歪んだり半田付け箇所が剥離したりすることを防ぐ。コイルばねの組付け性を改善する。シャッターの傾きを防ぐ。【解決手段】シールドケース３０の半田付け端子３５を、ハウジング１０に固定した端子本体部３６と、シールドケース３０に設けた接片部３７とに分割する。シャッター４０に傾きを防ぐ摺動片４１を設ける。シャッター４０を付勢するコイルばね６０をハウジング１０に支持させる。ハウジング１０の背壁１２に、コイルばね６０の組付けに用いるロッド状治具を挿入可能な孔部７１を開設する。【選択図】　　　　図１
2004095513.tif 000002
【特許請求の範囲】
【請求項１】
相手方コネクタが挿入される電気絶縁性のハウジングの内部に電極が備わり、相手方コネクタが挿入される上記ハウジングの挿入口に、相手方コネクタによって押し開かれかつ導電性を有して電磁波遮蔽作用を発揮するシャッターが閉じ方向に常時弾発付勢された状態で配備されていると共に、上記ハウジングを取り囲むシールドケースを有し、このシールドケースに、配線基板のランドに半田付けされるアース端子が備わっているシャッター付きコネクタにおいて、
上記アース端子が、上記配線基板のランドに半田付けされる半田付け部を備えて上記ハウジングに固定された端子本体部と、上記シールドケースに連設されて上記端子本体部に具備された面電極に弾接する接片部とに分割されていることを特徴とするシャッター付きコネクタ。
【請求項２】
上記端子本体部は、端縁部に上記半田付け部が連設された上記面電極を有し、その端子本体部が、横長に形成された上記ハウジングの横方向の両側壁外面のそれぞれに対称に重なり状に配備され、これらの端子本体部のそれぞれの面電極の外面に、上記シールドケースの横方向両端縁に各別に連設された上記接片部が弾接している請求項１に記載したシャッター付きコネクタ。
【請求項３】
相手方コネクタが挿入される電気絶縁性のハウジングの内部に電極が備わり、相手方コネクタが挿入される上記ハウジングの挿入口に、相手方コネクタによって押し開かれかつ導電性を有して電磁波遮蔽作用を発揮するシャッターが閉じ方向に常時弾発付勢された状態で配備されていると共に、上記ハウジングを取り囲むシールドケースを有し、このシールドケースに、配線基板のランドに半田付けされるアース端子が備わっているシャッター付きコネクタにおいて、
上記シャッターが、上記挿入口を閉じる閉位置とその閉位置の後方の開位置との間で前後にスライド可能になっていると共に、ハウジングの横方向の両側壁内面によって形成された摺動面に前後方向スライド自在に重ね合わされた前後方向に長い摺動片が、上記シャッターの両端部に一体に連設されていることを特徴とするシャッター付きコネクタ。
【請求項４】
上記摺動面に沿って前後方向に延びるガイド溝が上記ハウジングに備わり、そのガイド溝に、上記摺動片の端縁が摺動可能に嵌合されている請求項３に記載したシャッター付きコネクタ。
【請求項５】
上記シールドケースに、上記ハウジングの挿入口の横方向両側の口縁を形作る一対の固定接触片部が一体に連設されており、上記シャッターが開閉されるのに伴って、一対の上記固定接触片部の裏面に各別に離接される一対の可動接触片部が、上記シャッターの横方向の両端に各別に連設されている請求項３又は請求項４に記載したシャッター付きコネクタ。
【請求項６】
相手方コネクタが挿入される電気絶縁性のハウジングの内部に電極が備わり、相手方コネクタが挿入される上記ハウジングの挿入口に、相手方コネクタによって押し開かれかつ導電性を有して電磁波遮蔽作用を発揮するシャッターが閉じ方向に常時弾発付勢された状態で配備されていると共に、上記ハウジングを取り囲むシールドケースを有し、このシールドケースに、配線基板のランドに半田付けされるアース端子が備わっているシャッター付きコネクタにおいて、
上記シールドケースに、上記ハウジングの挿入口の横方向両側の口縁を形作る一対の固定接触片部が一体に連設されており、上記シャッターが開閉されるのに伴って、一対の上記固定接触片部の裏面に各別に離接される一対の可動接触片部が、上記シャッターの横方向の両端に各別に連設されていることを特徴とするシャッター付きコネクタ。
【請求項７】
上記シャッターが、合成樹脂でなるシャッター本体と、このシャッター本体の前面に配備されて当該シャッターに電磁波遮蔽作用を発揮する導電性を付与する金属製の導電板とでなり、上記可動接触片部が上記導電板に連設されている請求項６に記載したシャッター付きコネクタ。
【請求項８】
相手方コネクタが挿入される電気絶縁性のハウジングの内部に電極が備わり、相手方コネクタが挿入される上記ハウジングの挿入口に、相手方コネクタによって押し開かれかつ導電性を有して電磁波遮蔽作用を発揮するシャッターが閉じ方向に常時弾発付勢された状態で配備されていると共に、上記ハウジングを取り囲むシールドケースを有し、このシールドケースに、配線基板のランドに半田付けされるアース端子が備わっているシャッター付きコネクタにおいて、
上記シャッターを閉じ方向に常時弾発付勢するコイルばねが、上記ハウジングに備わっている背壁の横方向両端部に具備されたばね受け座によって支持されていると共に、上記ハウジングにその挿入口の全体を含む前側開口が備わり、上記背壁に上記コイルばねによって囲まれた囲繞空間に通じ、かつ、上記コイルばねの組付け時に上記ハウジングの前側開口からその内部に挿入されてきた上記コイルばねに挿入されてそのコイルばねを適正な組付け箇所に支持するロッド状治具を挿入可能な孔部が開設されていることを特徴とするシャッター付きコネクタ。
【発明の詳細な説明】
【０００１】
【発明の属する技術分野】
本発明は、シャッター付きコネクタ、特に、内部に相手方コネクタの電極が接触する接点を備えたハウジングがシールドケースで取り囲まれ、かつ、相手方コネクタの挿入口を開閉するシャッターを備えていて、そのシャッターが電磁波遮蔽作用を発揮する導電性を有しているタイプのシャッター付きコネクタに関する。
【０００２】
【従来の技術】
従来この種のシャッター付きコネクタにおいては、一般に、シールドケースはアース端子を一体に備えていて、そのアース端子の半田付け部を配線基板のランドに半田付けするようになっていた。
【０００３】
一方、下記特許文献１に防塵対策を施した小形コネクタについての記載がある。このものは、電極を収容しているハウジングの内部に、そのハウジングのプラグ嵌合用の嵌合孔を開閉するスライダを閉方向に常時付勢して配備してあり、嵌合孔に挿入したプラグによってスライダを弾発付勢力に抗して押し開くようになっている。また、スライダには、閉位置で上記電極に接触し、開位置で上記電極から離反するスライド電極が備わっていて、このスライド電極がハウジング側の電極から離反することによって、上記嵌合孔に相手方コネクタが挿入されたことを検出することができるようになっている。
【０００４】
下記特許文献２にはジャック型コネクタについての記載がある。このものは、電極を収容しているハウジングをシールドフレームでよって取り囲み、そのハウジングのプラグ挿入孔を開閉する蓋体を金属部材でなる導電体で形成し、プラグが挿入されたときにその蓋体がプラグにより押し開かれて蓋体に一体に具備されている接片部がシールドフレームに接触するようになっている。
【０００５】
下記特許文献３には、電極を収容しているハウジングをシールドフレームによって取り囲み、そのハウジングのプラグ挿入孔を開閉するためのシャッターを金属部材でなる導電材料で形成し、このシャッターが開時及び閉時に係わらず上記シールドフレームに常時接続されている電気コネクタについての記載がある。
【０００６】
【特許文献１】
実開平６−５０２７０号公報
【特許文献２】
登録実用新案２６０１８００号公報
【特許文献３】
実開平６−５４２６０号公報
【０００７】
【発明が解決しようとする課題】
しかしながら、従来例のように、ハウジングを取り囲んでいるシールドケースと一体のアース端子を配線基板のランドに半田付けすると、合成樹脂成形体でなるハウジング壁に１ｍｍ前後の厚さしか具備させることのできない超小型シャッター付きコネクタでは、アース端子やシールドケースなどが不可避的に持つ寸法誤差などによりシールドケースからハウジングに予知できない外力が加えられ、ハウジングに歪みが発生して相手方コネクタの挿入動作が円滑に行われなくなったり、アース端子の半田付け箇所に無理な力が残留して半田付け箇所が剥離したりするおそれがある。
【０００８】
一方、第１ないし第３の先行例に記載されているものは、いずれも、プラグなどの相手方コネクタが挿入されていないときに、ハウジングの内部空間がスライダ、蓋体又はシャッターにより塞がれてハウジング内の電極が防塵されるようになっている。
【０００９】
また、第１先行例では、スライダがハウジングの内部で前後に開閉動するので、開時のスライダの収容スペースをハウジング内の後部に確保するだけでよく、ハウジング内の上側又は下側に開時のスライダの収容スペースを確保しなくて済むので、ハウジングの薄形化を図りやすいという利点がある。
【００１０】
しかしながら、第１先行例では、スライダに合成樹脂成形体が用いられていて、このスライダ自体には、ハウジングに収容されている電極を電磁波シールドする性質が備わっていない。そのため、ハウジングをたとえば携帯端末機器に組み込み、そのハウジングに収容されている電極を携帯端末機器の電子素子などに電気的に接続してある場合には、相手方コネクタがハウジングに挿入されていない未使用時にスライダでそのハウジングの嵌合孔が塞がれているとしても、外部電磁波の影響がスライダによって遮蔽されずに電極ひいては電子素子に及び、電子素子などが静電破壊されるといった事態を生じるおそれがある。
【００１１】
これに対し、第２及び第３の各先行例は、相手方コネクタが挿入されてきたときに、蓋体又はシャッター（以下「シャッターなど」という）がその相手方コネクタにより押し込まれて水平軸を中心に開揺動してハウジングの上壁又は下壁に重なり状に収容されるようになっているので、開時のシャッターなどの収容スペースをハウジング内の上側又は下側に確保する必要が生じ、そのことがハウジングの薄形化を阻害する要因になっている。
【００１２】
その反面で、第２又は第３の各先行例では、シャッターなどが導電性を備えた金属部材で製作されており、しかも、少なくとも閉時にはそれらのシャッターなどがハウジングを取り囲んでいるシールドフレームに電気的に導通されるようになっているので、ハウジングの内部空間がシャッターなどによって塞がれている未使用時に、シャッターなどが電磁波遮蔽作用を発揮してハウジングに収容されている電極やその電極に電気的に接続された電子素子などの静電破壊が防止されるという利点がある。
【００１３】
しかし、水平軸を中心に開閉揺動されるシャッターなどを金属部材で製作すると、シャッターなどに開閉揺動動作に必要となる要素であるボスやリブをプレス成形で形成する場合に複雑な曲げ形状が必要になったり、ばね体を止めるためのばね受け片などを切起し形成したりするといった必要が生じるので、シャッター前面のデザインがその曲り箇所や切起し跡に残る孔で損なわれるという事態が起こるという問題がある。加えて、摺動性を高めるための切断面処理を行う必要であるので、それだけ製作コストが高くつくという問題がある。
【００１４】
そこで、シャッターなどを、電磁波遮蔽作用を具備させるために必要になる導電性を備えた部分とボスなどの機構部分とに分け、導電性を備えた部分を金属部材で形成し、その金属部材を機構部分を形成する合成樹脂部と共にインサート成形することが考えられる。しかし、そのようにすると、金型や成形のための工賃が高くなって全体としてコスト高になるという問題がある。
【００１５】
一方、従来より、携帯電話機などの携帯端末機器のＩＯポートを形成している多極コネクタでは、誘電体であるエラストマなどを用いた合成樹脂成形体でなるカバーを着脱することができるようにして防塵対策としているけれども、この多極コネクタの未使用時の静電破壊防止のための対策は特に講じられていなかった。
【００１６】
本発明は以上の状況に鑑みてなされたものであり、合成樹脂成形体でなるハウジング壁に１ｍｍ前後の厚さしか具備させることのできない超小型シャッター付きコネクタのハウジングを、配線基板のランドに半田付けされるアース端子を備えたシールドケースで取り囲んで電磁波遮蔽作用を発揮させる場合でも、アース端子やシールドケースなどが不可避的に持つ寸法誤差などによりシールドケースからハウジングに予知できない外力が加えられることを防ぐことによって、ハウジングに歪みが発生したりアース端子の半田付け箇所が剥離したりするおそれをなくすることのできるシャッター付きコネクタを提供することを目的とする。
【００１７】
また、本発明は、未使用時の防塵作用がシャッターによって有効に発揮されることは勿論、相手方コネクタの挿入によってシャッターが押し開かれたり、相手方コネクタを抜き出すときにシャッターが閉動したりするときに、シャッターが斜めに傾くことを防いでシャッターの円滑な開閉動作を確保し、相手方コネクタを円滑に挿抜することのできるシャッター付きコネクタを提供することを目的とする。
【００１８】
さらに、本発明は、導電性を有するシャッターの閉時に、そのシャッターとシールドケースとが確実に電気的接続されて電磁波遮蔽作用の信頼性を高めることのできるシャッター付きコネクタを提供することを目的とする。
【００１９】
さらに、本発明は、上記したような超小形のシャッター付きコネクタであっても、シャッターを閉じ方向に弾発付勢するばね材のハウジング内の狭小スペースへの組付けを確実かつ適正に行うことのできるシャッター付きコネクタを提供することを目的とする。
【００２０】
【課題を解決するための手段】
本発明に係るシャッター付きコネクタは、相手方コネクタが挿入される電気絶縁性のハウジングの内部に電極が備わり、相手方コネクタが挿入される上記ハウジングの挿入口に、相手方コネクタによって押し開かれかつ導電性を有して電磁波遮蔽作用を発揮するシャッターが閉じ方向に常時弾発付勢された状態で配備されていると共に、上記ハウジングを取り囲むシールドケースを有し、このシールドケースに、配線基板のランドに半田付けされるアース端子が備わっている、という基本構成を備えている。
【００２１】
本発明では、上記アース端子が、上記配線基板のランドに半田付けされる半田付け部を備えて上記ハウジングに固定された端子本体部と、上記シールドケースに連設されて上記端子本体部に具備された面電極に弾接する接片部とに分割されている。これによれば、端子本体部の半田付け部を配線基板のランドに半田付けすることによって生じることのある無理な力が、端子本体部の面電極と接片部とが接触箇所で相対変位することによって吸収されるので、半田付けしたアース端子やシールドケースなどが不可避的に持つ寸法誤差などによりシールドケースからハウジングに予知できない外力が加わるという事態が起こりにくくなり、そのような予知できない外力に起因するハウジングの歪みや半田付け箇所の剥離が起こりにくくなる。したがって、合成樹脂成形体でなるハウジング壁に１ｍｍ前後の厚さしか具備させることのできない超小型シャッター付きコネクタのハウジングをシールドケースで取り囲んで電磁波遮蔽作用を発揮させる場合でも、半田付け箇所の接続信頼性が向上し、しかも、相手方コネクタの挿入動作の円滑性を確実に保つことができるようになる。
【００２２】
本発明において、上記端子本体部は、端縁部に上記半田付け部が連設された上記面電極を有し、その端子本体部が、横長に形成された上記ハウジングの横方向の両側壁外面のそれぞれに対称に重なり状に配備され、これらの端子本体部のそれぞれの面電極の外面に、上記シールドケースの横方向両端縁に各別に連設された上記接片部が弾接していることが望ましい。これによれば、ハウジングの横方向の両側壁が端子本体部によって補強される。しかも、ハウジングをシールドケースの接片部が両側から挾み付けるので、ハウジングに偏荷重が加わりにくくなるという作用と、接片部と面電極との接続信頼性が向上する。したがって、上記したような超小形のシャッター付きコネクタであっても、ハウジングの保形性が向上し、ハウジングの変形や破損が抑制される。
【００２３】
別の本発明では、上記シャッターが、上記挿入口を閉じる閉位置とその閉位置の後方の開位置との間で前後にスライド可能になっていると共に、ハウジングの横方向の両側壁内面によって形成された摺動面に前後方向スライド自在に重ね合わされた前後方向に長い摺動片が、上記シャッターの両端部に一体に連設されている。これによれば、相手方コネクタによってシャッターが押し開かれたり、相手方コネクタを抜き出すときにシャッターが閉動したりするときに、ハウジングの両側の摺動面に重ね合わされている摺動片が、シャッターの傾きを防いでシャッターを円滑に前後に開閉動させる。そのため、シャッターが傾いて相手方コネクタの挿抜性が損なわれるという事態が起こりにくくなる。この作用は、上記摺動面に沿って前後方向に延びるガイド溝が上記ハウジングに備わり、そのガイド溝に、上記摺動片の端縁が摺動可能に嵌合されている、という構成を採用することよりいっそう顕著に発揮される。
【００２４】
また、この発明では、上記シールドケースに、上記ハウジングの挿入口の横方向両側の口縁を形作る一対の固定接触片部が一体に連設されており、上記シャッターが開閉されるのに伴って、一対の上記固定接触片部の裏面に各別に離接される一対の可動接触片部が、上記シャッターの横方向の両端に各別に連設されていることが望ましい。これによれば、シャッターの閉時にそのシャッターとシールドケースとを電気的接続するための要素が、シャッターに連設した可動接触片部とシールドケースに連設した固定接触片部とだけによって形成される。そのため、両者を電気的接続するための構成が簡単になり、余分な部品が不要になる。それにもかかわらず、上記したようにシャッターは開閉時に傾くことが防止されているので、シャッターの閉時にシャッターとシールドケースとの確実に電気的接続されるようになり、電磁波遮蔽作用の信頼性が高まる。
【００２５】
さらに別の本発明は、上記基本構成と、上記シールドケースに、上記ハウジングの挿入口の横方向両側の口縁を形作る一対の固定接触片部が一体に連設されており、上記シャッターが開閉されるのに伴って、一対の上記固定接触片部の裏面に各別に離接される一対の可動接触片部が、上記シャッターの横方向の両端に各別に連設されているという構成とからなっている。これによっても、上記した理由により、両者を電気的接続するための構成が簡単になり、余分な部品が不要になる。
【００２６】
この発明では、上記シャッターが、合成樹脂でなるシャッター本体と、このシャッター本体の前面に配備されて当該シャッターに電磁波遮蔽作用を発揮する導電性を付与する金属製の導電板とでなり、上記可動接触片部が上記導電板に連設されている、という構成を採用することが可能である。この場合、導電板をシャッター本体に挾み込み構造で固定しておくことが望ましく、そうすることによって、インサート成形で導電板をシャッター本体に一体化する必要がなくなって、それだけコストダウンを図りやすくなる。
【００２７】
さらに別の発明は、上記シャッターを閉じ方向に常時弾発付勢するコイルばねが、上記ハウジングに備わっている背壁の横方向両端部に具備されたばね受け座によって支持されていると共に、上記ハウジングにその挿入口の全体を含む前側開口が備わり、上記背壁に上記コイルばねによって囲まれた囲繞空間に通じ、かつ、上記コイルばねの組付け時に上記ハウジングの前側開口からその内部に挿入されてきた上記コイルばねに挿入されてそのコイルばねを適正な組付け箇所に支持するロッド状治具を挿入可能な孔部が開設されている。これによれば、上記したような超小形のシャッター付きコネクタであっても、シャッターを閉じ方向に弾発付勢するコイルばねのハウジング内の狭小スペースへの組付けを確実かつ適正に行うことができる。
【００２８】
【発明の実施の形態】
図１は本発明の実施形態であるシャッター付きコネクタを斜め前方下側から見た斜視図、図２は同コネクタのシールドケース３０を取り外して斜め後方上側から見た斜視図、図３はハウジング１０の縦断正面図、図４はハウジング１０の概略横断平面図、図５はシャッター４０及びハウジング１０の要部を拡大した部分縦断正面図、図６はシールドケース３０を斜め前方上側から見た斜視図、図７は同コネクタの拡大縦断側面図、図８は端子本体部３６を形成している端子の斜視図である。
【００２９】
図１又は図２のように、このシャッター付きコネクタは、合成樹脂の一体成形体でなる横長のハウジング１０を備え、このハウジング１０の下壁１１（図３参照）の多数の平行な凹溝のそれぞれに電極２０が配備されていて、それらの電極に各別に連設された端子２１がハウジング１０の背壁１２を貫通してその後方に突出されている。このハウジング１０は、図２、図３又は図４で判るように、上記下壁１１と、上記背壁１２と、横方向両側の側壁１３，１３とを備え、その前面全体が前側開口１４として開放されているのに対し、その上面の横方向両側には覆い壁１５，１５が位置してそれらの覆い壁１５，１５の相互間が開放されている。
【００３０】
ハウジング１０がシールドケース３０で取り囲まれている。図１又は図６のように、シールドケース３０は、下壁部３１と上壁部３２と横方向両側の側壁部３３，３３とが筒状に形作られていて、図７のように、下壁部３１がハウジング１０の下壁１１に重なり合い、上壁部３２がハウジング１０の覆い壁１５，１５に重なり合ってそれらの覆い壁１５，１５の相互間の開放部分を覆い、両側の側壁部３３，３３がハウジング１０の両側の側壁１３，１３に重なり合っていて、下壁部１１に切起し形成された爪部３１ａが、ハウジング１０の下壁１１の係止部（不図示）に係止することによって、シールドケース３０がハウジング１０に固定されている。また、シールドケース３０の前側には、その横方向両側に各別に配備された一対の固定接触片部３４，３４が備わっていて、それらの固定接触片部３４，３４が図４で説明したハウジング１０の前側開口１４の横方向両側部分を覆っている。そして、相手方コネクタ（プラグ）の挿入口１７が、ハウジング１０の下壁１１及び覆い壁１５，１５とシールドケース３０の上記固定接触片部３４，３４とによって略横長矩形に形作られていて、そのうち、固定接触片部３４，３４が挿入口１７の横方向両側の口縁を形作っている。
【００３１】
また、図１のように、シールドケース３０の横方向両側には一対のアース端子３５が各別に備わっている。図１には片側の１つのアース端子３５だけが現れ、他側のアース端子は現れていない。図１又は図６で判るように、それぞれのアース端子３５は、ハウジング１０に固定された端子本体部３６と、シールドケース３０に連設された湾曲形状を有する接片部３７とに分割されていて、両側のアース端子３５，３５が左右対称位置に配備さている。図８のように、端子本体部３６は、前後両端に係止爪３６ａを備える面電極３８と、その面電極３８の下側の端縁部に連設された半田付け部３９とを一体に備えている。そして、面電極３８が、ハウジング１０の両側の側壁１３，１３の外面のそれぞれに具備された取付け溝部１６，１６（図３〜図５参照）に上方から差し込まれて側壁１３，１３に重なり合い、半田付け部３９がハウジング１０から突出している。なお、係止爪３６ａは取付け溝部１６に喰い込んで端子本体部３６の抜け出しを防いでいる。これに対し、接片部３７は、シールドケース３０の横方向両側にそれぞれ備わっていて、それらの接片部３７が上記端子本体部３６の面電極３８のの外面に摺動可能に弾接して両者が電気的接続されている。
【００３２】
図６で判るように、シールドケース３０の接片部３７は、シールドケース３０の側壁部３３の前側部分を所定形状に打ち抜いて曲げ加工することにより形成されている。また、シールドケース３０の両側の側壁部３３は、上壁部３２から延び出た内側片３３ａと、下壁部３１から延び出て内側片３３ａに重なり合った外側片３３ｂとに分割されていて、内側片３３ａに切起し形成した爪部３３ｃを外側片３３ｂに形成した係合孔部３３ｄに係合させることによってシールドケース３０の開き変形を防いでいる。このようなシールドケース３０は、一枚の板金に曲げ加工や打抜き加工を施すことによって形成されている。
【００３３】
上記した構造でシールドケース３０がハウジング１０に固定され、かつ、アース端子３５が端子本体部３６と接片部３７とに分割されていると、端子本体部３６の半田付け部３９を配線基板のランドに半田付けすることによって生じることのある無理な力が、端子本体部３６の面電極３８と接片部３７とが接触箇所で相対変位することによって吸収されるので、半田付けしたアース端子３５やシールドケース３０などが不可避的に持つ寸法誤差などによりシールドケース３０からハウジング１０に予知できない外力が加わるという事態が起こりにくくなり、そのような予知できない外力に起因するハウジング１０の歪みや半田付け箇所の剥離が起こりにくくなる。したがって、合成樹脂成形体でなるハウジング壁に１ｍｍ前後の厚さしか具備させることのできない超小型シャッター付きコネクタのハウジング１０をシールドケース３０で取り囲んで電磁波遮蔽作用を発揮させる場合でも、半田付け箇所の接続信頼性が向上し、しかも、相手方コネクタの挿入動作の円滑性を確実に保つことができる。
【００３４】
また、ハウジング１０の横方向両側の側壁１３，１３が端子本体部３６，３６によって補強され、しかも、ハウジング１０をシールドケース３０の左右の接片部３７，３７が両側から挾み付けるので、ハウジング１０に偏荷重が加わりにくくなり、接片部３７と面電極３８との電気的な接続信頼性も向上する。したがって、超小形のシャッター付きコネクタであっても、ハウジング１０の保形性が向上してハウジング１０の変形や破損が抑制される。
【００３５】
ハウジング１０の挿入口１６を開閉するシャッター４０は、ハウジング１０の挿入口１７の横幅と略同じ横幅寸法を有していると共に、図３〜図５に示したハウジング１０の横方向両側の側壁内面によって形成された摺動面１８に、前後方向スライド自在に重ね合わされた前後方向に長い摺動片４１が、シャッター４０の両端部に一体に連設されている。加えて、図３又は図５のように、ハウジング１０の下壁１１には、摺動面１８に沿って前後方向に延びるガイド溝１９が備わり、そのガイド溝１９に、摺動片４１の下側の端縁４２が摺動可能に嵌合されている。
【００３６】
上記摺動片４１はハウジング１０の摺動面１８と摺動することより、シャッター４０が前後方向に開閉するときにシャッター４０が傾くことを防ぐ作用を発揮する。また、摺動片４１の端縁４２とガイド溝１９との嵌合構造も、シャッター４０が前後方向に開閉するときにシャッター４０が傾くことを防ぐ作用を発揮する。したがって、シャッター４０が円滑に開閉動し、シャッター４０が傾いて相手方コネクタの挿抜性が損なわれるという事態が起こりにくい。
【００３７】
シャッター４０は導電性を有していて、その導電性によって電磁波遮蔽作用を発揮する。また、図１又は図４のように、シャッター４０の横方向両側のそれぞれには、一対の可動接触片部４３が一体に連設されていて、シャッター４０が挿入口１７を閉じたときには、それらの可動接触片部４３，４３が、シールドケース３０に具備されてハウジング１０の挿入口１７をの口縁を形作っている一対の上記固定接触片部３４，３４の裏面に当接してシャッター４０とシールドケース３０とが電気的接続されるようになっている。このため、シャッター４０が挿入口１７を閉じている未使用時には、シールドケース３０やシャッター４０が一体的に作用して外部電磁波を遮蔽する。
【００３８】
図４又は図７で判るように、シャッター４０は、合成樹脂でなるシャッター本体４５と、このシャッター本体４５の前面に配備された金属製の導電板４６とでなる。そして、上記可動接触片部４３が導電板４６に連設されている。この実施形態では、図２に示したように、導電板４６の上下の各端縁に曲成した係止片４７の係合孔４８を、シャッター本体４５の上下の各端縁に突設した係止部４９に嵌合して係止させることにより、導電板４６をシャッター本体４５に固定してある。こうしておけば、導電板４６をシャッター本体４５にインサート成形することなく、シャッター４０に導電性を付与することができる。
【００３９】
図２、図４又は図７のように、シャッター４０は、ハウジング１０の背壁１２の横方向両端部に具備されたばね受け座６１に支持されているコイルばね６０によって閉じ方向に常時弾発付勢されている。したがって、相手方コネクタ（不図示）が挿入口１７に挿入されると、その相手方コネクタによりシャッター４０がコイルばね６０の付勢に抗して後退して押し開かれる。また、相手方コネクタが挿入口１７から抜き出される動作が行われると、コイルばね６０の付勢により、シャッター４０がそれに追従して閉じ位置まで前進し、その両端部の可動接触片部４３がシールドケース３０の固定接触片部３４に弾接する。
【００４０】
この実施形態では、図２又は図４に示したように、ハウジング１０の背壁１２に、コイルばね６０によって囲まれた囲繞空間に通じる孔部７１が開設されている。この孔部７１は、コイルばね６０をハウジング１０の内部に組み付けるときに、コイルばね６０を適正な組付け箇所に支持するロッド状治具（不図示）を挿入するために設けてある。すなわち、このシャッター付きコネクタは、ハウジング１０にコイルばね６０を組み付けた後、シャッター４０を組み付け、次にシールドケース３０をハウジング１０に固定するという手順で組み立てられるのであり、その際、コイルばね６０を組み付けるときに、ハウジング１０の後方から上記孔部７１に挿通させたロッド状治具に、ハウジング１０の前方からコイルばね６０を嵌め込んでそのコイルばね６０を適正な組付け箇所に支持させておき、その状態で、シールド４０をハウジング１０に組み付ける。このようにすると、超小形のシャッター付きコネクタであっても、ハウジング１０内の狭小スペースにコイルばね６０を組み付ける作業を正確にかつ迅速に行うことができるという利点がある。
【００４１】
この実施形態では、シャッター４０をシャッター本体４５と導電板４６とによで形成し、導電板４６に具備させた係止片４７の係合孔４８を、シャッター本体４５の係止部４９に嵌合して係止させることにより両者を固定してあるけれども、この点は、たとえば図９に示したような他の手段を採用することも可能である。図９は変形例によるシャッター付きコネクタのシールドケースを取り外して斜め後方上側から見た斜視図である。同図の事例では、導電板４６に具備させた係止片部７２を、シャッター本体４５の裏側で斜めに曲げ込んでシャッター本体４５を挾み付けることによりシャッター本体４５に導電板４６を固定してある。その他の事項は、図２のものと同様であるので、同一部分に同一符号を付して詳細な説明を省略する。
【００４２】
【発明の効果】
本発明によれば、超小型シャッター付きコネクタのハウジングを、アース端子を備えたシールドケースで取り囲んで電磁波遮蔽作用を発揮させる場合でも、アース端子やシールドケースなどが不可避的に持つ寸法誤差などによりシールドケースからハウジングに予知できない外力が加えられることを防ぐことが可能になって、ハウジングに歪みが発生したりアース端子の半田付け箇所が剥離したりするおそれがなくなり、相手方コネクタの挿入時の操作性や耐久性が向上する。
【００４３】
別の本発明によると、シャッターが開閉するときに斜めに傾くことを防いでシャッターの円滑な開閉動作を確保し、相手方コネクタを円滑に挿抜することのできるシャッター付きコネクタを提供することが可能になる。そのため、余分な部品を用いずに、導電性を有するシャッターの閉時に、シャッターとシールドケースとを確実に電気的接続させて電磁波遮蔽作用の信頼性を高めることが可能になる。
【００４４】
さらに別の本発明によると、超小形のシャッター付きコネクタであっても、シャッターを閉じ方向に弾発付勢するばね材のハウジング内の狭小スペースへの組付けを確実かつ適正に行うことが可能になる。
【図面の簡単な説明】
【図１】本発明の実施形態であるシャッター付きコネクタを斜め前方下側から見た斜視図である。
【図２】図１のコネクタのシールドケース３０を取り外して斜め後方上側から見た斜視図である。
【図３】ハウジングの縦断正面図である。
【図４】ハウジングの概略横断平面図である。
【図５】シャッター及びハウジングの要部を拡大した部分縦断正面図である。
【図６】シールドケースを斜め前方上側から見た斜視図である。
【図７】図１のコネクタの拡大縦断側面図である。
【図８】端子本体部を形成している端子の斜視図である。
【図９】変形例によるシャッター付きコネクタのシールドケースを取り外して斜め後方上側から見た斜視図である。
【符号の説明】
１０　ハウジング
１２　背壁
１３　ハウジングの側壁
１４　前側開口
１７　挿入口
１８　摺動面
１９　ガイド溝
２０　電極
３０　シールドケース
３４　固定接触片部
３５　アース端子
３６　端子本体部
３７　接片部
３８　面電極
３９　半田付け部
４０　シャッター
４１　摺動片
４２　摺動片の端縁
４３　可動接触片部
４５　シャッター本体
４６　導電板
６０　コイルばね
６１　ばね受け座
７１　孔部
【図１】
2004095513.tif 000003
【図２】
2004095513.tif 000004
【図３】
2004095513.tif 000005
【図４】
2004095513.tif 000006
【図５】
2004095513.tif 000007
【図６】
2004095513.tif 000008
【図７】
2004095513.tif 000009
【図８】
2004095513.tif 000010
【図９】
2004095513.tif 000011